(57)【要約】【課題】ビデオエンコーダの第１の出力系をコンポジット信号用とＹ信号用に兼用し、第１の出力系からはコンポジット信号とＹ信号のいずれか一方のビデオ信号しか供給できないビデオ装置において、両方のコネクタに接続した場合に誤使用の判別が容易なビデオ装置を提供することを目的とする。【解決手段】ビデオ装置は、ビデオエンコーダ１０１とコンポジット信号ケーブルの接続の有無を検出する挿入検出部１０６を有するコンポジット信号コネクタ１０２、Ｓ信号ケーブルの接続の有無を検出する挿入検出部１０９を有するＳ信号コネクタ１０３で構成され、コンポジット信号コネクタおよびＳ信号コネクタの両方にケーブルが接続された場合、ビデオエンコーダ１０１の出力端子１の出力を輝度情報であるＹ信号とし、出力端子２の出力を色情報であるＣ信号とし、出力端子１とＳ信号コネクタ１０３の接続を遮断する構成とした。【選択図】  図１
2004215054.tif 000002
【特許請求の範囲】
【請求項１】
コンポジット信号と輝度信号を切り替えていずれか一方の信号を出力する第１の出力端子と色信号を出力する第２の出力端子を備えたビデオエンコーダおよび前記第１の出力端子からの前記コンポジット信号を出力するコンポジット信号コネクタと、前記第１の出力端子からの前記輝度信号と前記第２の出力端子からの前記色信号を出力するＳ信号コネクタを有するビデオ装置において、前記コンポジット信号コネクタにケーブルが接続していない場合に前記第１の出力端子と前記Ｓ信号コネクタを導通し、前記コンポジット信号コネクタにケーブルが接続されると前記第１の出力端子と前記コンポジット信号コネクタが導通するとともに前記Ｓ信号コネクタとの接続を遮断し、前記Ｓ信号コネクタにケーブルが接続されると前記ビデオエンコーダの前記第１の出力端子から前記輝度信号を出力する構成としたことを特徴とするビデオ装置。
【発明の詳細な説明】
【０００１】
【発明の属する技術分野】
本発明は、ビデオ信号の出力コネクタとしてコンポジット信号を出力するコネクタとＳ信号を出力するコネクタを備えたビデオ装置に関する。
【０００２】
【従来の技術】
ビデオ信号を出力するコネクタとして、輝度信号，色信号，同期信号を一つの信号としたコンポジット信号を出力するコネクタ（以下、コンポジット信号コネクタと記す。）と、輝度信号と色信号を分離したＳ信号を出力するコネクタ（以下、Ｓ信号コネクタという）とを備えたビデオ装置がある。
【０００３】
ビデオ装置からの映像を映す代表的な機器はテレビ受像機であり、このテレビ受像機にもコンポジット信号コネクタとＳ信号コネクタを備えたものがある。
【０００４】
ビデオ装置は、ビデオ信号をコンポジット信号やＳ信号に規定された形式に変換するビデオエンコーダを備えており、このビデオエンコーダの出力部は、アナログ信号を生成するために高速なＤＡ（デジタル・アナログ）コンバータ回路と増幅器で構成され、コンポジット信号の出力部に１組、Ｓ信号の輝度信号（以下、Ｙ信号という）の出力部に１組、Ｓ信号の色信号の出力部に１組、計３組のＤＡコンバータ回路と増幅器を備えている。
【０００５】
一方、テレビ受像機側は、ビデオ信号の形式を選択して接続する場合がほとんどであり、コンポジット信号とＳ信号を同時に同じテレビ受像機に接続するのではなくて、どちらかの信号を使うという選択が行われている。
【０００６】
このことから、ビデオ装置のビデオエンコーダを低コストで製造するために、ビデオエンコーダの出力部をコンポジット信号用とＹ信号用に兼用する方式のビデオエンコーダが採用されている。この方式のビデオエンコーダは、ＤＡコンバータ回路に入力する信号の生成時にコンポジット信号かＹ信号かを切り替えることで、３組のＤＡコンバータ回路と増幅器を２組とすることができ、現在ＬＳＩメーカーから提供されているビデオエンコーダＬＳＩの汎用品は、ビデオエンコーダの出力部をコンポジット信号用とＹ信号用に兼用する方式のものが多く見受けられる。
【０００７】
従来のビデオエンコーダの出力部を兼用する方式について、図４から図６にて説明を行う。
【０００８】
図４において、ビデオエンコーダ４０１の出力端子１は、Ｓ信号の輝度情報であるＹ信号（図ではＹと表す）とコンポジット信号（図ではＣＶＢＳと表す）のいずれかを出力する端子であり、増幅器４０２、４０３に接続されている。増幅器４０２の出力は、コンポジット信号コネクタ４０４へ接続され、増幅器４０３の出力はＳ信号コネクタ４０５へ接続されている。
【０００９】
ビデオエンコーダ４０１の出力端子２は、Ｓ信号の色信号（図ではＣと表す）としてＳ信号コネクタ４０５に接続されている。
【００１０】
ビデオエンコーダ４０１の出力部には前述のように増幅器が内蔵されているが、ビデオ信号は低いインピーダンスで整合を取って伝送される必要があるため、コンポジット信号コネクタ４０４とＳ信号コネクタ４０５の２箇所のコネクタに接続する出力端子１からの信号は再度増幅器を用いて出力のバッファリングを行う必要がある。
【００１１】
ビデオエンコーダ４０１の出力部から出力されるビデオ信号の形式をコンポジット信号またはＳ信号に選択するための選択スイッチ４０７を用い、制御回路４０６を介してビデオエンコーダ４０１に選択情報を通知することで、出力端子１から出力されるビデオ信号の形式を決める。利用者はコンポジット信号コネクタ４０４またはＳ信号コネクタ４０５のどちらにケーブルを接続したかを選択スイッチ４０７でビデオエンコーダ４０１へ通知する。また両方のコネクタにケーブルを接続することも可能で、どちらの形式のビデオ信号を優先させるかを選択スイッチ４０７で選択することができる。
【００１２】
図５は図４の選択スイッチ４０７の同じ機能の検出スイッチ５０７を内蔵したＳ信号コネクタ５０１で構成した場合を示す。
【００１３】
Ｓ信号コネクタ５０１は、Ｓ信号用のケーブルを接続したことを検出スイッチ５０７で検出することで、ビデオエンコーダ４０１の出力端子１からのビデオ信号をコンポジット信号からＹ信号に自動的に切り替える方式である。この方式は、ビデオ信号の品質としてコンポジット信号よりＳ信号の方が良質な映像が得られるので、利用者がＳ信号用のケーブルを接続したことにより、コンポジット信号コネクタ４０４のケーブルの接続有無にかかわらずＳ信号コネクタ５０１に接続されたケーブルを優先させることで、ビデオ信号の形式選択を自動化できるという利点が得られる。
【００１４】
図６は図４での構成中、増幅器４０２、４０３の代わりに機械式接点の切り替えリレー６０１を用いた例である。
【００１５】
出力端子１は、切り替えリレー６０１を介してコンポジット信号コネクタ４０４とＳ信号コネクタ５０１に接続されている。
【００１６】
検出スイッチ５０７は、Ｓ信号コネクタ５０１にケーブルが接続されると制御回路４０６を介してビデオエンコーダ４０１および切り替えリレー６０１へ通知することで、ビデオエンコーダ４０１は出力端子１からの出力信号をＹ信号とし、切り替えリレー６０１は出力端子１からのＹ信号をＳ信号コネクタ５０１に接続する。
【００１７】
切り替えリレー６０１により信号経路を切り替えることで、ビデオエンコーダ４０１に内蔵された増幅器の出力をそのままコネクタに配線可能となる。
【００１８】
コンポジット信号コネクタ４０４とＳ信号コネクタ５０１の両方にケーブルが接続された場合、同様にビデオエンコーダ４０１の出力端子１の出力はＹ信号となるので、Ｓ信号コネクタ５０１に接続されたケーブルが優先される。
【００１９】
上述したような方法を用いて、ビデオエンコーダ４０１の出力部をコンポジット信号用とＳ信号用に兼用したビデオ装置となる。
【００２０】
同様にして、ビデオエンコーダの第１の出力系をコンポジット信号用とＹ信号用に兼用し、Ｓ信号コネクタにケーブルが接続されているかどうかを判別し、判別結果に基づいてビデオエンコーダにおいてコンポジット信号とＹ信号の一方を選択し、コンポジット信号コネクタまたはＳ信号コネクタからいずれかのビデオ信号を出力する方式のビデオ装置が記載されている（例えば特許文献１を参照）。
【００２１】
【特許文献１】
特開平１０−１９１３６２号公報（段落番号０００９−００１５）
【００２２】
【発明が解決しようとする課題】
ところで、ビデオエンコーダの第１の出力系をコンポジット信号用とＹ信号用に兼用し、第１の出力系の出力信号を自動的に切り替える方式のビデオ装置においては、利用者がビデオ装置側とテレビ受像機側のコンポジット信号コネクタとＳ信号コネクタの両方のコネクタにケーブルを接続した場合、テレビ受像機側にはＳ信号入力を優先する機能が存在するので、ビデオ装置とテレビ受像機間はＳ信号のみで接続されたかたちとなり、問題は起こらない。
【００２３】
しかし、たとえば、２台目のテレビ受像機を追加して、１台目のコンポジット信号コネクタどうしを接続し、他の１台のテレビ受像機はＳ信号コネクタどうしを接続した場合には、Ｓ信号コネクタどうしを接続したテレビ受像機のみに有効なビデオ信号が流れ、コンポジット信号コネクタどうしを接続したテレビ受像機にはビデオ信号が流れないため、テレビ受像機に画像が表示されない。このため、利用者がビデオ装置のコンポジット信号の出力回路が故障したと誤認してしまうという問題がある。
【００２４】
また、たとえば、ビデオ装置と１台のテレビ受像機間をコンポジット信号コネクタどうしをケーブルにて接続し、ビデオ装置のＳ信号コネクタにはケーブルを接続するが他の１台のテレビ受像機のＳ信号コネクタにはケーブルを接続しない状態とすると、コンポジット信号コネクタどうしを接続したテレビ受像機は正しく映らないため、同様にコンポジット信号の出力回路が故障であると誤認するという問題がある。
【００２５】
このような場合に、テレビ受像機の表示の状態により、ビデオ装置の故障なのか、あるいは利用者の誤使用なのかが容易に判断がつくことが望ましい。
【００２６】
本発明は上述したように、ビデオエンコーダの第１の出力系をコンポジット信号用とＹ信号用に兼用し、第１の出力系からはコンポジット信号かＹ信号のいずれか一方のビデオ信号しか供給できないビデオ装置において、Ｓ信号コネクタのみにケーブルを接続すればＳ信号を供給し、コンポジット信号コネクタのみに接続すればコンポジット信号を供給し、両方のコネクタに接続した場合には、両方に不正な信号を供給することで利用者に接続の誤りを明示する、誤使用の判別が容易なビデオ装置を提供することを目的とする。
【００２７】
【課題を解決するための手段】
この課題を解決するため本発明は、コンポジット信号と輝度信号を切り替えていずれか一方の信号を出力する第１の出力端子と色信号を出力する第２の出力端子を備えたビデオエンコーダおよび第１の出力端子からのコンポジット信号を出力するコンポジット信号コネクタと、第１の出力端子からの輝度信号と第２の出力端子からの色信号を出力するＳ信号コネクタを有するビデオ装置において、コンポジット信号コネクタにケーブルが接続していない場合に第１の出力端子とＳ信号コネクタを導通し、コンポジット信号コネクタにケーブルが接続されると第１の出力端子とコンポジット信号コネクタが導通するとともにＳ信号コネクタとの接続を遮断し、Ｓ信号コネクタにケーブルが接続されるとビデオエンコーダの第１の出力端子から輝度信号を出力する構成としたことを特徴とする。
【００２８】
このような構成としたことにより、コンポジット信号コネクタとＳ信号コネクタの両方に接続した場合には、コンポジット信号コネクタに接続したテレビ受像機には輝度信号のみが供給され、Ｓ信号コネクタに接続されたテレビ受像機には色信号のみが供給され、両方の受像機とも正規の信号が供給されないので、テレビ受像機には映像が表示されない状態となり、利用者は接続の誤りを容易に認識できる。
【００２９】
【発明の実施の形態】
本発明の請求項１に記載の発明は、コンポジット信号と輝度信号を切り替えていずれか一方の信号を出力する第１の出力端子と色信号を出力する第２の出力端子を備えたビデオエンコーダおよび第１の出力端子からのコンポジット信号を出力するコンポジット信号コネクタと、第１の出力端子からの輝度信号と第２の出力端子からの色信号を出力するＳ信号コネクタを有するビデオ装置において、コンポジット信号コネクタにケーブルが接続していない場合に第１の出力端子とＳ信号コネクタが導通し、コンポジット信号コネクタにケーブルが接続されると第１の出力端子とコンポジット信号コネクタが導通するとともにＳ信号コネクタとの接続を遮断し、Ｓ信号コネクタにケーブルが接続されるとビデオエンコーダの第１の出力端子から輝度信号を出力する構成としたことを特徴とするビデオ装置としたものであり、コンポジット信号コネクタとＳ信号コネクタの両方にケーブルを接続した場合には、コンポジット信号コネクタに接続したテレビ受像機には輝度信号のみが供給され、Ｓ信号コネクタに接続されたテレビ受像機には色信号のみが供給され、両方のテレビ受像機とも正規の信号が供給されないという作用を有する。
【００３０】
（実施の形態）
本発明に係るビデオ装置の実施の形態について、図１により説明する。
【００３１】
図１は、本発明の実施の形態のビデオ装置を示す構成図である。ビデオ装置は、ビデオエンコーダ１０１とコンポジット信号を出力するコンポジット信号コネクタ１０２、Ｓ信号を出力するＳ信号コネクタ１０３と、ビデオデコーダ１０１へ出力する信号形式を指示するコントローラ１０４にて構成されている。
【００３２】
ビデオエンコーダ１０１の出力端子１は、Ｓ信号の輝度情報であるＹ信号あるいはコンポジット信号を出力する端子であり、ビデオエンコーダ１０１の出力端子２は、Ｓ信号の色情報であるＣ信号を出力する端子である。
【００３３】
コンポジット信号コネクタ１０２は、コンポジット信号用のケーブルの端子と接続するコンポジット端子１０７と、ケーブルの接続の有無を検出する挿入検出部１０６と、切り替え器１０５にて構成され、切り替え器１０５は、コンポジット信号コネクタ１０２にケーブルが接続していない状態では接点Ａと接点Ｂは導通しているが、挿入検出部１０６によりケーブルの接続を検出すると、切り替え器１０５に通知し接点Ａと接点Ｂが遮断される。
【００３４】
切り替え器１０５の接点Ａは、ビデオエンコーダ１０１の出力端子１とコンポジット端子１０７へ接続され、接点Ｂは、Ｓ信号コネクタ１０３のＹ端子１１０へ接続されている。
【００３５】
Ｓ信号コネクタ１０３は、Ｓ信号用のケーブルの輝度情報であるＹ信号の端子と接続するＹ端子１１０と、色信号であるＣ信号の端子と接続するＣ端子１１１と、ケーブルの接続の有無を検出する挿入検出部１０９から構成され、挿入検出部１０９は、ケーブルの接続の有無をコントローラ１０４を介して制御信号１１６にてビデオエンコーダ１０１へ通知し、出力端子１の出力形式をコンポジット信号かＳ信号の輝度情報であるＹ信号かのいずれかに出力を切り替える。
【００３６】
挿入検出部１０９は、Ｓ信号コネクタ１０３のケーブルの接続を検知するとコントローラ１０４へ通知し制御信号１１６によりビデオエンコーダ１０１へＳ信号を出力することを指示する。また挿入検出部１０９はケーブルが接続されていないことを検知するとコントローラ１０４へ通知し制御信号１１６にてビデオエンコーダ１０１へコンポジット信号を出力することを指示する。
【００３７】
図２はビデオエンコーダの内部の構成を示すブロック図である。
【００３８】
図２にて、ビデオエンコーダ１０１のビデオ信号生成部の構造を説明する。
【００３９】
ビデオエンコーダ１０１は、デジタルエンコーダ２０１と、エンコードしたデジタル信号をアナログ信号へ変換するＤＡコンバータ２０２、２０３と、変換された信号を増幅する増幅器２０４、２０５で構成され、デジタルエンコーダ２０１は制御信号１１６の指示によりコンポジット信号またはＳ信号のいずれかを出力する。
【００４０】
デジタルエンコーダ２０１は、コンポジット信号やＳ信号に規定された形式に映像信号をエンコードする機能を有しており、輝度情報、色情報、表示タイミングを入力することで、各形式に合致するデジタル化した映像信号を合成し出力する。
【００４１】
制御信号１１６がＳ信号出力を指示していれば、デジタルエンコーダ２０１はデジタル化されたＳ信号を合成し、輝度情報であるＹ信号をＤＡコンバータ２０２へ、色情報であるＣ信号をＤＡコンバータ２０３へ出力し、それぞれデジタル信号をアナログ信号に変換して増幅器２０４、２０５へ出力し、出力端子１からＹ信号、出力端子２からＣ信号が出力される。
【００４２】
制御信号１１６がコンポジット信号出力を指示していれば、デジタルエンコーダ２０１はデジタル化されたコンポジット信号を合成して、ＤＡコンバータ２０２へ出力し、デジタル信号をアナログ信号へ鉛管して増幅器２０４に出力し、出力端子１からコンポジット信号が出力される。
【００４３】
以上のように構成されたビデオ装置の動作を図３にて説明する。
【００４４】
図３は本発明の実施の形態のビデオ切り替えを説明するフローチャートである。
【００４５】
初期状態Ｓ３０１は、ビデオ装置にコンポジット信号コネクタおよびＳ信号コネクタの両方にケーブルが接続されていない状態である。
【００４６】
コンポジット信号コネクタ１０２にケーブルが接続され、Ｓ信号コネクタ１０３にケーブルが接続されていない場合、コンポジット信号コネクタ１０２にケーブルが接続されるとＳ３０２でＹＥＳの判定となり、Ｓ３０３で切り替え器１０５の接点Ａと接点Ｂが遮断され、出力端子１がコンポジット信号コネクタ１０２のコンポジット端子１０７にのみ接続された状態となる。
【００４７】
Ｓ信号コネクタ１０３はケーブルが接続されていないため、挿入検出部１０９は接続されていないことをコントローラ１０４へ通知し、制御信号１１６にてビデオエンコーダ１０１へコンポジット信号の出力を指示するので、Ｓ３０５はＮＯとなり、Ｓ３０７で出力端子１の出力をコンポジット信号形式とする。切り替え器１０５の接点Ａと接点Ｂは遮断されているので、出力端子１はコンポジット信号端子１０７のみに接続された状態となる。
【００４８】
よって、ビデオエンコーダ１０１の出力端子１はコンポジット信号を出力し、出力端子１はコンポジットコネクタ１０２のコンポジット端子１０７に接続しているため、ビデオ装置側とテレビ受像機側のコンポジット信号コネクタどうしで接続したテレビ受像機はコンポジット信号での映像の表示が可能である。
【００４９】
次に、コンポジット信号コネクタ１０２にケーブルが接続していない状態で、Ｓ信号コネクタ１０３にケーブルが接続されている場合、コンポジット信号コネクタにケーブルが接続されないためＳ３０２でＮＯの判定となる。Ｓ３０４で切り替え器１０５は導通しているので、出力端子１はコンポジット端子１０７とＹ端子１１０に接続された状態となる。Ｓ信号コネクタ１０３にケーブルが接続されると挿入検出部１０９は接続されたことをコントローラ１０４を介して制御信号１１６にてビデオエンコーダ１０１に通知し、Ｓ信号を出力することを指示するので、Ｓ３０５はＹＥＳとなりＳ３０６で出力端子１の出力をＹ信号とし、出力端子２の出力はＣ信号となる。
【００５０】
よって、ビデオエンコーダ１０１の出力端子１はＹ信号を出力し、出力端子２はＣ信号を出力し、出力端子１はＹ端子１１０へ接続され、出力端子２はＣ端子１１１へ接続されているので、ビデオ装置側とテレビ受像機側のＳ信号コネクタどうしで接続したテレビ受像機はＳ信号での映像の表示が可能である。
【００５１】
コンポジット信号コネクタ１０２とＳ信号コネクタ１０３の両方にケーブルが接続されている場合、コンポジット信号コネクタ１０２にケーブルが接続されるとＳ３０２でＹＥＳの判定となり、Ｓ３０３で切り替え器１０５の接点Ａと接点Ｂが遮断され、出力端子１はコンポジット信号コネクタ１０２のコンポジット端子１０７にのみ接続された状態になる。
【００５２】
Ｓ信号コネクタ１０３にケーブルが接続されると挿入検出部１０９は接続されたことをコントローラ１０４を介して制御信号１１６にてビデオエンコーダ１０１に通知し、Ｓ信号を出力することを指示するのでＳ３０５はＹＥＳとなり、Ｓ３０６で出力端子１の出力をＹ信号とし、出力端子２の出力はＣ信号となる。
【００５３】
よって、ビデオエンコーダ１０１の出力端子１はＹ信号を出力し、出力端子２はＣ信号を出力し、出力端子１はコンポジット端子１０７のみ接続され、Ｙ端子１１０へは接続されない状態となっているので、ビデオ装置側とテレビ受像機側のコンポジット信号コネクタどうしで接続したテレビ受像機はＳ信号の輝度情報であるＹ信号が出力され、ビデオ装置側とテレビ受像機側のＳ信号コネクタどうしで接続したテレビ受像機はＳ信号の輝度情報であるＹ信号が出力されない状態となるので、コンポジット信号コネクタ１０２およびＳ信号コネクタ１０３の両方のコネクタに接続されたケーブルに不正な信号が出力されて映像の表示ができないため、利用者に誤接続していることを認識させることが可能となる。
【００５４】
【発明の効果】
以上のように本発明によると、ビデオエンコーダの第１の出力系をコンポジット信号用とＹ信号用に兼用し、第１の出力系の出力信号を自動的に切り替える方式のビデオ装置において、コンポジット信号コネクタおよびＳ信号コネクタの両方にケーブルが接続された場合、第１の出力系をＹ信号としコンポジット信号コネクタのみに接続し出力するようにし、Ｓ信号コネクタにはＹ信号を接続しないようにしたことで、ビデオ装置のコンポジット信号コネクタに接続したケーブルおよびＳ信号コネクタに接続したケーブルに不正な信号が出力されるので、それぞれのケーブルに接続したテレビ受像機に映像が表示されない。
【００５５】
よって、コンポジット信号コネクタおよびＳ信号コネクタの両方にケーブルを接続した場合にそれぞれのケーブルを接続しているテレビ受像機が表示できない状態となり、コンポジット信号コネクタに接続しているケーブルを抜くとＳ信号コネクタに接続しているテレビ受像機が正常に表示し、Ｓ信号コネクタに接続しているケーブルを抜くとコンポジット信号コネクタに接続しているテレビ受像機が正常に表示することから、利用者にコンポジット信号コネクタおよびＳ信号コネクタの両方の接続は不可であることを認識させ、接続の誤りを明示することができる。
【図面の簡単な説明】
【図１】本発明の実施の形態のビデオ装置を示す構成図
【図２】ビデオエンコーダの内部の構成を示すブロック図
【図３】本発明の実施の形態のビデオ切り替えを説明するフローチャート
【図４】従来のビデオ装置の構成例を示す図
【図５】従来のビデオ装置の他の構成例を示す図
【図６】従来のビデオ装置の他の構成例を示す図
【符号の説明】
１，２  出力端子
１０１  ビデオエンコーダ
１０２  コンポジット信号コネクタ
１０３  Ｓ信号コネクタ
１０４  コントローラ
１０５  切り替え器
１０６，１０９  挿入検出部
１０７  コンポジット端子
１１０  Ｙ端子
１１１  Ｃ端子
１１６  制御信号
２０１  デジタルエンコーダ
２０２，２０３  ＤＡコンバータ
２０４，２０５  増幅器
【図１】
2004215054.tif 000003
【図２】
2004215054.tif 000004
【図３】
2004215054.tif 000005
【図４】
2004215054.tif 000006
【図５】
2004215054.tif 000007
【図６】
2004215054.tif 000008